(57)【特許請求の範囲】
【請求項１】
ファンモータと、前記ファンモータを内設し複数の保持部を設けたモータケースと、掃除機本体下の端部に台座部分と軸部から成る段付き形状を有する複数の支持部を設けた掃除機本体において、外周に緩衝材を装着した前記軸部を、前記緩衝材とともに、貫通穴を有する保持部の前記貫通穴に挿入し、掃除機本体上に設けられた支持部を構成すると共にビス取り付け用穴を有する受部に、前記軸部の先端を当て、前記受部の上方より、前記軸部と受部とをビスで締めて、前記保持部を上下に二分割された掃除機本体にて挟持固定することで、前記掃除機本体に前記モータケースを装着する電気掃除機。
【発明の詳細な説明】
【０００１】
【発明の属する技術分野】
本発明は、騒音低減を図った電気掃除機に関するものである。
【０００２】
【従来の技術】
この種の電気掃除機は、特願平１―１８２８９８号公報に示されるのが一般的であった。以下、図５に基づいて説明する。１は空気を吸引するファンモータで、モータ７とファン（図示せず）とファンを覆うモータケース４で形成され、モータケース４は吸気孔２、モータ７は排気孔３を有している。このファンモータ１はモータケース４の外周部を防振部材６により、また、ファンモータ１の後部軸芯近傍には半径方向に貫通穴３１を有する固定部３０を設け、防振部材後３２を固定部３０の貫通穴３１に嵌入するとともに、掃除機本体１０のボス部３７には軸部３９を有し、この軸部３９を防振部材後３２の取付穴に挿入する。ファンモータ１を駆動すると塵埃が吸い込まれフイルタ１３の内部に送られ、空気はファンモータ１を通り、掃除機本体１０の空気通路２１を通り本体排気孔２２より機外に排気される。
【０００３】
【発明が解決しようとする課題】
上記構成ではファンモータ１の固定が前記ファンモータ１の略後方１箇所固定のため、ファンモータ１の振動を十分抑えることができずファンモータ１の振動で発生する騒音が高く、また、排気通路にボス部３７が存在するため、大量の排気がボス部３７に衝突し風切り音が発生する課題があった。
【０００４】
本発明は、以上のような上記発明を解決しようとするもので、低騒音の電気掃除機を提供することを目的としている。
【０００５】
【課題を解決するための手段】
上記目的を達成するため本発明は、ファンモータと、前記ファンモータを内設し複数の保持部を設けたモータケースと、掃除機本体下の端部に台座部分と軸部から成る段付き形状を有する複数の支持部を設けた掃除機本体において、外周に緩衝材を装着した前記軸部を、前記緩衝材とともに、貫通穴を有する保持部の前記貫通穴に挿入し、掃除機本体上に設けられた支持部を構成すると共にビス取り付け用穴を有する受部に、前記軸部の先端を当て、前記受部の上方より、前記軸部と受部とをビスで締めて、前記保持部を上下に二分割された掃除機本体にて挟持固定することで、前記掃除機本体に前記モータケースを装着するもので、複数の軸部と保持部を緩衝材を介して固定することにより、前記掃除機本体に前記モータケースを装着するため騒音を低減できるとともに組立性の向上が図れる。
【０００６】
【発明の実施の形態】
本発明の請求項１記載の発明は、ファンモータと、前記ファンモータを内設し複数の保持部を設けたモータケースと、掃除機本体下の端部に台座部分と軸部から成る段付き形状を有する複数の支持部を設けた掃除機本体において、外周に緩衝材を装着した前記軸部を、前記緩衝材とともに、貫通穴を有する保持部の前記貫通穴に挿入し、掃除機本体上に設けられた支持部を構成すると共にビス取り付け用穴を有する受部に、前記軸部の先端を当て、前記受部の上方より、前記軸部と受部とをビスで締めて、前記保持部を上下に二分割された掃除機本体にて挟持固定することで、前記掃除機本体に前記モータケースを装着するもので、ファンモータの振動が掃除機本体に伝わる振動を低減して騒音を低減でき、また支持部を複数設けていることで、前記支持部自体をコンパクトにでき、従来に比べ通風抵抗を低減でき風切り音を下げられるため、さらに騒音を低減できるとともに組立性の向上が図れる。
【０００７】
【実施例】
（実施例１）
以下、本発明の第１の実施例を図１、図２、図３を用いて説明する。なお、従来例と同一の部分には同一番号を付し、その説明を省略する。
【０００８】
４１はファンモータ１を内包するモータケースで、下方及び側方に、前記ファンモータ１からの排気を排出する排気口４１ａが設けられている。
【０００９】
４０はモータケース４１の後部に設けられた保持部であり、貫通穴４２を有している。４３は下部にフランジ状のツバ部４４を有した筒状の緩衝材であり、貫通穴４２に挿着されている。４５は掃除機本体上、４６は掃除機本体下を示している。（以下本体上４５、本体下４６と称す）４７、４８は各々が本体上４５、本体下４６と一体に構成される支持部を示しており、支持部４８は台座部分４９と軸部５０から成る段付き形状を有し、支持部４７はビス取り付け用穴を有する受部５２を有している。すなわち本体下４６の支持部４８に設けられた軸部５０を緩衝材４３とともに貫通穴４２に挿入し、支持部４７の受部５２に当て、ビス５１で締める。
【００１０】
上記構成による作用は以下の通りである。
【００１１】
緩衝材４３を保持部４０の貫通孔４２に嵌入するとともに、本体下４６の支持部４８には軸部５０を有し、この軸部５０を緩衝材４３の取付穴に挿入することにより防振支持をファンモータ１の軸芯を挟んで一対に実施する構成としたことで、ファンモータ１の振動が掃除機本体１０に伝わる振動を低減し騒音を低減できる。運転時には、図３に示されるように、ファンモータ１の排気孔３から排出される排気が、モータケース４１の排気口４１ａを通って本体排気口２２より外部に排気される。
【００１２】
また、多量の排気が流れる近傍に支持部４８がないので風切り音を低減できる。ただし、排気が流れる近傍に支持部４８が存在しても、支持部４８を複数設けていることで、前記支持部４８自体をコンパクトにでき、従来に比べ通風抵抗を低減でき風切り音を下げられる。また、本実施例においては、下部にフランジ状のツバ部４４を有した筒状の緩衝材４３について述べたが、上部にフランジ状のツバ部４４を有していても、あるいは上下両端部に前記フランジ状のツバ部４４を有していても、もちろん同様の効果が得られる。また、前記ツバ部４４の部分と他の直状部分を別部品にすることで組立性はより向上する。さらに、前記緩衝材４３にフランジ状のツバ部４４が設けられていなくとも、前記保持部４０と本体上４５の支持部４７と本体下４６の支持部４８は、前記緩衝材４３を介して直接接触することはなく、十分振動を低減し騒音を低減できる。
【００１３】
そして、緩衝材４３を衝撃吸収材料であるゴム材料や発泡樹脂材料で形成することで、ファンモータ１の振動を十分に吸収し、ファンモータ７の振動が掃除機本体１０に伝わる振動を低減し騒音を大きく低減できる。
【００１４】
（実施例２）
以下、本発明の第２の実施例を、図４を用いて説明する。なお上記第１の実施例と同一構成部品については同一符号を付して、その説明を省略する。材料密度の濃い部分５６を掃除機本体１０の軸部５０に接するように、また、材料密度の薄い部分５５をモータケース４１の後部に設けられた保持部４０に接するように緩衝材４３を形成したものである。
【００１５】
上記構成による作用は以下の通りである。モータケース４１からの振動が材料密度の薄い部分５５で吸収され、材料密度の濃い部分５６では振動を伝えないため、本体に伝わる振動が更に抑えられ騒音を低減できる。
【００１６】
【発明の効果】
本発明によれば、ファンモータの振動が掃除機本体に伝わる振動を低減して騒音を低減でき、また支持部を複数設けていることで、前記支持部自体をコンパクトにでき、従来に比べ通風抵抗を低減でき風切り音を下げられるため、さらに騒音を低減できるとともに組立性の向上が図れる。
【図面の簡単な説明】
【図１】  本発明の第１の実施例を示す電気掃除機のモータケースの分解斜視図
【図２】  同電気掃除機の本体とモータケースの固定部の断面図
【図３】  同電気掃除機の断面図
【図４】  本発明の第２の実施例を示す電気掃除機の本体とモータケースの固定部の断面図
【図５】  従来の掃除機本体の断面図
【符号の説明】
１    ファンモータ
６    防振部材
７    モータ
１０  掃除機本体
４０  保持部
４１  モータケース
４２  貫通穴
４３  緩衝材
４８  支持部
５０  軸部
【図１】
0004419253.tif 000002
【図２】
0004419253.tif 000003
【図３】
0004419253.tif 000004
【図４】
0004419253.tif 000005
【図５】
0004419253.tif 000006